(57)【要約】【課題】カバーの開閉状態によらず原稿の端部を特定する。【解決手段】画像読取装置（１００）は、原稿台（１１０）と、カバー（１２０）と、読取部（１３０）と、第１特定部（１４０）とを備える。原稿台（１１０）は、透光部（１１２）と、支持部（１１４）とを有する。カバー（１２０）は、支持部（１１４）で支持され、原稿台（１１０）に対して開閉可能である。読取部（１３０）は、原稿（Ｒ）の少なくとも一部が原稿台（１１０）の透光部（１１２）とカバー（１２０）との間に位置する際に原稿台（１１０）の透光部（１１２）を撮像して画像データを生成する。第１特定部（１４０）は、画像データのうちの透光部（１１２）における支持部（１２２）側の位置に対応するデータに基づいて、原稿（Ｒ）の１つの端部を示す第１端部（Ｒ１）を特定する。【選択図】図１
2020080511.tif 000002
【特許請求の範囲】
【請求項１】
透光部と、支持部とを有する原稿台と、
前記支持部に支持され、前記原稿台に対して開閉可能なカバーと、
原稿の少なくとも一部が前記原稿台の前記透光部と前記カバーとの間に位置する際に前記原稿台の前記透光部を撮像して画像データを生成する読取部と、
前記画像データのうちの前記透光部における前記支持部側の位置に対応するデータに基づいて、前記原稿の１つの端部を示す第１端部を特定する第１特定部と
を備える、画像読取装置。
【請求項２】
前記第１特定部は、前記第１端部として、前記原稿の副走査方向に沿った端部を特定する、請求項１に記載の画像読取装置。
【請求項３】
前記原稿のうちの前記第１端部とは別の第２端部を特定する第２特定部をさらに備える、請求項１または２に記載の画像読取装置。
【請求項４】
前記第２特定部は、前記第２端部として、前記原稿の主走査方向に沿った端部を特定する、請求項３に記載の画像読取装置。
【請求項５】
前記読取部は、光源を有し、
前記第２特定部は、前記光源を点灯せずに前記読取部が前記透光部を撮像した結果と前記光源を点灯して前記読取部が前記透光部を撮像した結果とに基づいて、前記第２端部を特定する、請求項３または４に記載の画像読取装置。
【請求項６】
前記第１特定部は、前記画像データのうち、前記透光部における前記支持部側の端から１ｃｍ以下の領域のデータを用いる、請求項１から５のいずれかに記載の画像読取装置。
【請求項７】
前記カバーは、前記原稿台の前記透光部と対向する押え部を有し、
前記カバーが前記原稿台に対して閉じている場合、前記第１特定部は、前記画像データのうちの、前記原稿台の前記透光部に対して前記原稿が対向する領域と前記原稿台の前記透光部に対して前記押え部が対向する領域との境界を示すデータから、前記第１端部を特定する、請求項１から６のいずれかに記載の画像読取装置。
【請求項８】
前記第１特定部が、前記画像データのうちの、前記原稿台の前記透光部に対して前記原稿が対向する領域と前記原稿台の前記透光部に対して前記押え部が対向する領域との境界を示すデータを特定できない場合、前記読取部は、副走査方向に沿って前記原稿台の前記透光部の端まで走査する、請求項７に記載の画像読取装置。
【請求項９】
前記画像データを加工する画像加工部をさらに備える、請求項１から８のいずれかに記載の画像読取装置。
【請求項１０】
前記画像加工部は、前記画像データに対して、分割処理、ノド消処理、および枠消処理のいずれかを行う、請求項９に記載の画像読取装置。
【発明の詳細な説明】
【技術分野】
【０００１】
本発明は、画像読取装置に関する。
【背景技術】
【０００２】
画像読取装置は、光源から照射されて原稿で反射された光を撮像部で検出することによって原稿を読み取る。このような画像読取装置は、スキャナーとしてだけでなく、複写機または複合機などの画像形成装置、ＦＡＸ装置の一部品としても用いられる。
【０００３】
原稿を読み取る際に原稿のサイズを検知する原稿サイズ検知装置が知られている（特許文献１）。特許文献１の原稿サイズ検知装置では、光学台を原稿と重なるホームポジションに移動させた状態で外乱光の光量を検出し、外乱光の光量に基づいて光源の光量を設定して原稿サイズを検知する。これにより、特許文献１の原稿サイズ検知装置では、原稿サイズの誤検知防止およびユーザーへの眩しさ防止を図っている。
【先行技術文献】
【特許文献】
【０００４】
【特許文献１】特開２００９−２５８６５８号公報
【発明の概要】
【発明が解決しようとする課題】
【０００５】
しかしながら、特許文献１の原稿サイズ検知装置では、原稿の端部を特定できないことがある。特に、特許文献１の原稿サイズ検知装置では、カバーが開いて外乱光が入り込む場合、原稿の副走査方向に沿った端部を検知できないことがあった。
【０００６】
本発明は上記課題に鑑みてなされたものであり、その目的は、カバーの開閉状態によらず原稿の端部を特定可能な画像読取装置を提供することにある。
【課題を解決するための手段】
【０００７】
本発明による画像読取装置は、原稿台と、カバーと、読取部と、第１特定部とを備える。前記原稿台は、透光部と、支持部とを有する。前記カバーは、前記支持部に支持され、前記原稿台に対して開閉可能である。前記読取部は、原稿の少なくとも一部が前記原稿台の前記透光部と前記カバーとの間に位置する際に前記原稿台の前記透光部を撮像して画像データを生成する。前記第１特定部は、前記画像データのうちの前記透光部における前記支持部側の位置に対応するデータに基づいて、前記原稿の１つの端部を示す第１端部を特定する。
【発明の効果】
【０００８】
本発明によれば、カバーの開閉状態によらず原稿の端部を特定できる。
【図面の簡単な説明】
【０００９】
【図１】（ａ）は本実施形態の画像読取装置の模式的な斜視図であり、（ｂ）は本実施形態の画像読取装置の模式的な側面図である。
【図２】本実施形態の画像読取装置のブロック図である。
【図３】（ａ）〜（ｃ）は本実施形態の画像読取装置において原稿台に対するカバーの傾きの変化を示す模式図である。
【図４】（ａ）は本実施形態の画像読取装置における原稿台の上面を示す模式図であり、（ｂ）は本実施形態の画像読取装置の原稿台に載置される原稿を示す模式図である。
【図５】（ａ）は本実施形態の画像読取装置において照明光がカバーに遮られて形成された影領域を示す模式図であり、（ｂ）は本実施形態の画像読取装置の原稿台に形成された影領域を示す模式図である。
【図６】（ａ）〜（ｄ）は、本実施形態の画像読取装置における読取処理を説明するための模式図である。
【図７】（ａ）は原稿の模式図であり、（ｂ）は原稿を読み取って生成された画像データに示される画像ＴＧの模式図であり、（ｃ）は画像ＴＧから取り出した原稿Ｒに対応する画像ＲＧを示す模式図である。
【図８】（ａ）は本の載置された本実施形態の画像読取装置の模式的な平面図であり、（ｂ）は原稿台に載置された本の模式的な側面図であり、（ｃ）は本実施形態の画像読取装置において載置される本の見開きページを示す模式図であり、（ｄ）は本の載置された本実施形態の画像読取装置の模式的な側面図である。
【図９】（ａ）は原稿として本を読み取って生成された画像データに示される画像ＴＧの模式図であり、（ｂ）は画像ＴＧから取り出した原稿に対応する画像ＲＧを示す模式図であり、（ｃ）は画像ＲＧを分割した画像ＲＧ１の模式図であり、（ｄ）は画像ＲＧからノドを消す処理を説明するための模式図であり、（ｅ）は画像ＲＧからノドを消した画像ＲＧ２の模式図であり、（ｆ）は画像ＲＧから外枠を消すための処理を説明するための模式図であり、（ｇ）は画像ＲＧから外枠を消した画像ＲＧ３の模式図である。
【図１０】本実施形態の画像読取装置における画像データ生成処理を説明するためのフローチャートである。
【図１１】本実施形態の画像読取装置における読取処理を説明するためのフローチャートである。
【図１２】本実施形態の画像読取装置における第２端部特定処理を説明するためのフローチャートである。
【図１３】本実施形態の画像読取装置における第１端部特定処理を説明するためのフローチャートである。
【図１４】本実施形態の画像読取装置における第２端部特定処理を説明するためのフローチャートである。
【図１５】本実施形態の画像読取装置における画像データ生成処理を説明するためのフローチャートである。
【図１６】本実施形態の画像読取装置における画像データ生成処理を説明するためのフローチャートである。
【図１７】本実施形態の画像読取装置を備えた画像形成装置の模式図である。
【発明を実施するための形態】
【００１０】
以下、図面を参照して本発明の実施形態を説明する。なお、図中、同一または相当部分については同一の参照符号を付して説明を繰り返さない。また、本件明細書および図面では、発明の理解を容易にするために、「前」、「後」、「左」、「右」、「上」および「下」を示すことがあるが、これらは説明の便宜上用いるものであり、発明を限定するものではないことに留意されたい。
【００１１】
まず、図１を参照して、本実施形態の画像読取装置１００を説明する。図１（ａ）は、本実施形態の画像読取装置１００の模式的な斜視図である。画像読取装置１００は、原稿Ｒを読み取り、画像データを生成する。また、画像読取装置１００は、原稿Ｒを読み取った画像データを加工してもよい。例えば、原稿Ｒは、普通紙、再生紙、薄紙、厚紙、コート紙またはＯＨＰ（Ｏｖｅｒｈｅａｄ  Ｐｒｏｊｅｃｔｏｒ）シートである。また、原稿Ｒは、本などの比較的厚いものであってもよい。
【００１２】
画像読取装置１００は、原稿台１１０と、カバー１２０と、読取部１３０と、第１特定部１４０とを備える。原稿台１１０は、薄型の直方体形状の筐体を含む。
【００１３】
画像読取装置１００が原稿Ｒを読み取る場合、原稿Ｒの少なくとも一部は、原稿台１１０とカバー１２０との間に位置する。例えば、原稿Ｒは、原稿台１１０に載置される。図１（ａ）では、参考のために、原稿台１１０に載置された原稿Ｒを破線で示している。原稿Ｒは、典型的には矩形状の薄いシートである。原稿Ｒは、第１端部Ｒ１と、第２端部Ｒ２と、第３端部Ｒ３と、第４端部Ｒ４とを有する。第１端部Ｒ１は、原稿Ｒのうちの右側に位置しており、第２端部Ｒ２は、原稿Ｒのうちの前側に位置している。また、第３端部Ｒ３は、原稿Ｒのうちの左側に位置しており、第４端部Ｒ４は、原稿Ｒのうちの後側に位置している。
【００１４】
原稿台１１０は、透光部１１２と、支持部１１４とを有する。透光部１１２は、原稿台１１０の上面に設けられる。透光部１１２は、光を透過する。透光部１１２は、透明であってもよい。あるいは、透光部１１２は、透光性を有してもよい。
【００１５】
透光部１１２は、原稿台１１０のほぼ中央に位置する。例えば、透光部１１２は、ガラスから形成される。透光部１１２は、コンタクトガラスとも呼ばれる。
【００１６】
ここでは、透光部１１２は、２つの領域に分離されている。透光部１１２は、主透光部１１２ａと、副透光部１１２ｂとを含む。例えば、原稿Ｒは、主透光部１１２ａに載置される。副透光部１１２ｂは、主透光部１１２ａに対して左側に配置される。
【００１７】
副透光部１１２ｂの主走査方向（前後方向）に沿った長さは、主透光部１１２ａの主走査方向に沿った長さとほぼ等しい。一方で、主透光部１１２ａの副走査方向（左右方向）に沿った長さは、副透光部１１２ｂの副走査方向に沿った長さよりも充分に長い。このため、主透光部１１２ａの面積は副透光部１１２ｂの面積よりも大きい。
【００１８】
支持部１１４は、カバー１２０が原稿台１１０に対して開閉可能なようにカバー１２０を支持する。支持部１１４は、原稿台１１０の筐体のうちの端部に位置する。ここでは、支持部１１４は、原稿台１１０の後側の端部に位置する。
【００１９】
原稿台１１０は、開閉検知部１１８をさらに有する。開閉検知部１１８は、原稿台１１０に対するカバー１２０の開閉状態を検知する。
【００２０】
カバー１２０は、原稿台１１０をカバーするように構成される。カバー１２０は、支持部１１４に支持され、原稿台１１０に対して開閉可能である。カバー１２０は、支持部１１４に設けられた回動軸を中心に回動する。
【００２１】
カバー１２０は、押え部１２２を有する。原稿台１１０に対してカバー１２０を閉じる場合、カバー１２０は原稿台１１０の上面（透光部１１２）を覆う。この場合、押え部１２２は、原稿台１１０の透光部１１２と対向する。押え部１２２は、読取部１３０が原稿Ｒを読み取る際に原稿Ｒを原稿台１１０に押さえる。
【００２２】
押え部１２２は、第１押え部１２２ａと、第２押え部１２２ｂとを含む。第１押え部１２２ａは、主透光部１１２ａに対応する位置およびサイズに設けられる。例えば、第１押え部１２２ａは、平坦なマット状である。第１押え部１２２ａは、高い反射率を示す。例えば、第１押え部１２２ａは、白色である。
【００２３】
第２押え部１２２ｂは、副透光部１１２ｂに対応する位置およびサイズに設けられる。例えば、第２押え部１２２ｂは、半円柱状である。第２押え部１２２ｂは、高い反射率を示す。例えば、第２押え部１２２ｂは、白色である。
【００２４】
読取部１３０は、原稿Ｒを読み取る。読取部１３０は、原稿台１１０の筐体内に収容される。読取部１３０が原稿Ｒを読み取る場合、読取部１３０は、透光部１１２を介して原稿Ｒと対向する。
【００２５】
読取部１３０は、原稿台１１０の透光部１１２を撮像して画像データを生成する。読取部１３０は、原稿Ｒの少なくとも一部が原稿台１１０の透光部１１２とカバー１２０との間に位置する際に、原稿台１１０の透光部１１２を撮像して画像データを生成する。原稿台１１０の主透光部１１２ａに原稿Ｒが載置される場合、読取部１３０は、原稿台１１０の主透光部１１２ａを介して原稿Ｒと対向する。
【００２６】
読取部１３０は、主走査方向（前後方向）に延びる。読取部１３０の少なくとも一部は、副走査方向（左右方向）に沿って移動可能である。読取部１３０は、原稿Ｒに対して相対的に移動して原稿Ｒを読み取る。
【００２７】
第１特定部１４０は、読取部１３０によって生成された画像データに基づいて、原稿Ｒの端部を特定する。第１特定部１４０は、画像データのうちの透光部１１２における支持部１１４側の位置に対応するデータに基づいて原稿Ｒのうちの１つの端部を特定する。ここでは、第１特定部１４０は、原稿Ｒの第１端部Ｒ１を特定する。
【００２８】
第１特定部１４０が原稿Ｒの第１端部Ｒ１を特定することにより、原稿Ｒの副走査方向に沿った長さを特定できる。このため、画像データに原稿Ｒの長さを示す情報を付与することにより、画像データに基づく印刷または表示を適切に実行できる。例えば、印刷を行う場合、原稿Ｒの大きさに応じて、印刷用紙のサイズに合わせて印刷画像のサイズを適宜変更できる。また、第１特定部１４０が原稿Ｒの第１端部Ｒ１を特定することにより、画像データを適切に加工できる。
【００２９】
画像読取装置１００は、入力部１５０をさらに備える。例えば、入力部１５０は、複数種類の押しボタン（キー）を含む。ユーザーは、入力部１５０を介して画像読取装置１００に操作を入力できる。例えば、入力部１５０は、読取処理を開始するためのスタートボタンを含む。
【００３０】
画像読取装置１００は、表示部１６０をさらに備える。表示部１６０は、例えば液晶ディスプレーを含む。
【００３１】
画像読取装置１００は、搬送装置１７０をさらに備える。搬送装置１７０は、搬送装置１７０に載置された原稿を原稿台１１０に搬送する。ここでは、搬送装置１７０は、カバー１２０と一体的に構成される。
【００３２】
搬送装置１７０が原稿Ｒを搬送する場合、原稿Ｒは、第２押え部１２２ｂと副透光部１１２ｂとの間を通過する。読取部１３０は、原稿台１１０の副透光部１１２ｂを介して第２押え部１２２ｂと対向する位置で、搬送装置１７０によって搬送される原稿Ｒを読み取る。なお、原稿Ｒは、搬送される原稿Ｒが副透光部１１２ｂと対向する際に原稿Ｒの後側の端部が副透光部１１２ｂの後側と接触するように原稿Ｒを規定した状態で、搬送装置１７０にセットされる。
【００３３】
次に、図１（ａ）および図１（ｂ）を参照して、本実施形態の画像読取装置１００を説明する。図１（ｂ）は、本実施形態の画像読取装置１００の模式的な側面図である。
【００３４】
読取部１３０は、走査ユニット１３２と、光学素子１３４と、集光レンズ１３６と、撮像装置１３８とを有する。走査ユニット１３２は、筐体１３２ａと、光源１３２ｂと、ミラー１３２ｃとを有する。筐体１３２ａは、上側および左側の開口した中空形状である。筐体１３２ａ内には、光源１３２ｂおよびミラー１３２ｃが配置される。
【００３５】
光源１３２ｂは、発光素子を有する。発光素子は、発光ダイオード（Ｌｉｇｈｔ  Ｅｍｉｔｔｉｎｇ  Ｄｉｏｄｅ：ＬＥＤ）を含む。典型的には、筐体１３２ａには、複数の発光素子が取り付けられる。例えば、複数の発光素子は、主走査方向（前後方向）に沿って配列される。発光させる発光素子を選択することにより、主走査方向における画像読取範囲を調整できる。また、光源１３２ｂの発光時間を制御することにより、主走査方向に直交する副走査方向における画像読取範囲を調整できる。画像読取範囲は、原稿Ｒのサイズよりも大きく設定される。画像読取範囲の主走査方向に沿った長さは、光源１３２ｂの主走査方向の長さを限度に、原稿Ｒのサイズよりも大きく設定される。
【００３６】
ミラー１３２ｃは、光源１３２ｂの左側に配置される。ミラー１３２ｃは、光源１３２ｂから出射されて原稿Ｒによって反射された光を左側に向けて反射する。
【００３７】
光学素子１３４は、ミラー１３４ａと、ミラー１３４ｂとを有する。ミラー１３４ａは、ミラー１３２ｃによって反射された光をミラー１３４ｂに向けて反射する。ミラー１３４ｂは、ミラー１３４ａによって反射された光を集光レンズ１３６に向けて反射する。集光レンズ１３６は、ミラー１３４ｂによって反射された光を撮像装置１３８に向けて集光する。
【００３８】
撮像装置１３８は、撮像素子を含む。撮像素子は、例えば、電荷結合素子（Ｃｈａｒｇｅｄ  Ｃｏｕｐｌｅｄ  Ｄｅｔｅｃｔｏｒ：ＣＣＤ）である。あるいは、撮像素子は、コンタクトイメージセンサー（Ｃｏｎｔａｃｔ  Ｉｍａｇｅ  ｓｅｎｓｏｒ：ＣＩＳ）であってもよい。
【００３９】
画像読取装置１００は、制御部１４０Ａを備える。制御部１４０Ａは、演算素子を含む。演算素子は、プロセッサーを含む。一例では、プロセッサーは、中央処理演算機（Ｃｅｎｔｒａｌ  Ｐｒｏｃｅｓｓｉｎｇ  Ｕｎｉｔ：ＣＰＵ）を含む。プロセッサーは、特定用途集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）を含んでもよい。
【００４０】
制御部１４０Ａは、画像読取装置１００の動作を制御する。制御部１４０Ａは、読取部１３０、第１特定部１４０、入力部１５０および表示部１６０を制御する。制御部１４０Ａは、第１特定部１４０を含んでもよい。
【００４１】
制御部１４０Ａは、原稿Ｒのうちの第１端部Ｒ１とは別の端部を特定してもよい。また、制御部１４０Ａは、読取部１３０によって生成された画像データに対し各種の画像処理（加工処理を含む）を実行してもよい。
【００４２】
搬送装置１７０は、セットされた原稿Ｒを搬送する。搬送装置１７０による搬送過程において、原稿Ｒは、第２押え部１２２ｂと接触して副透光部１１２ｂと対向する領域を通過する。
【００４３】
搬送装置１７０は、給紙トレイ１７２と、搬送ローラー１７４と、排紙トレイ１７６とを備える。給紙トレイ１７２には、原稿Ｒが載置される。典型的には、給紙トレイ１７２には、複数枚の原稿Ｒが載置可能である。
【００４４】
搬送装置１７０は、搬送ローラー１７４を複数含む。搬送装置１７０において、複数の搬送ローラー１７４によって原稿Ｒの搬送路が形成される。搬送ローラー１７４は、給紙トレイ１７２に載置された原稿Ｒを搬送する。搬送ローラー１７４は、原稿Ｒを、１枚ずつ排紙トレイ１７６まで搬送する。搬送ローラー１７４は、回転ローラーを含む。回転ローラーは、回転軸を中心に回転する。典型的には、搬送装置１７０は、一対の回転ローラーを含む。一対の回転ローラーは、互いと対向して回転軸を中心に回転する。一例では、一対の回転ローラーのうちの一方は他方に従動して回転する。原稿Ｒは、回転する一対の回転ローラーの間に進入し、回転ローラーによって付勢されて回転ローラーから押し出される。
【００４５】
読取部１３０が主透光部１１２ａに載置された原稿Ｒを読み取る場合、光源１３２ｂは、主透光部１１２ａを介して、原稿台１１０上の原稿Ｒに光を出射する。原稿Ｒによって反射された光は、ミラー１３２ｃ、ミラー１３４ａ、ミラー１３４ｂおよび集光レンズ１３６を介して撮像装置１３８に入射する。
【００４６】
また、読取部１３０が搬送装置１７０によって搬送される原稿Ｒを読み取る場合、光源１３２ｂは、副透光部１１２ｂを介して、搬送中の原稿Ｒに光を出射する。原稿Ｒによって反射された光は、ミラー１３２ｃ、ミラー１３４ａ、ミラー１３４ｂおよび集光レンズ１３６を介して撮像装置１３８に入射する。
【００４７】
撮像装置１３８は、入射した光の受光量に応じた電気信号を制御部１４０Ａに出力する。制御部１４０Ａは、撮像装置１３８の出力に基づいて、画像データを生成する。撮像装置１３８から出力される電気信号は、画像データを構成する各画素の濃度値または輝度値に対応する。
【００４８】
次に、図１および図２を参照して、本実施形態の画像読取装置１００を説明する。図２は、画像読取装置１００のブロック図である。
【００４９】
制御部１４０Ａは、第１特定部１４０に加えて、第２特定部１４２および画像処理部１４４をさらに含む。制御部１４０Ａは、開閉検知部１１８、読取部１３０、入力部１５０、表示部１６０および搬送装置１７０を制御する。
【００５０】
画像読取装置１００は、記憶部１４１をさらに備える。記憶部１４１は、種々のデータを記憶する。例えば、記憶部１４１は、制御プログラムを記憶する。制御部１４０Ａは、制御プログラムを実行することによって、画像読取装置１００の動作を制御する。詳細には、制御部１４０Ａのプロセッサーは、記憶部１４１の記憶しているコンピュータープログラムを実行して、画像読取装置１００の各構成を制御する。
【００５１】
第１特定部１４０は、読取部１３０によって生成された画像データに基づいて、原稿Ｒの第１端部Ｒ１を特定する。第２特定部１４２は、原稿Ｒのうちの第１端部Ｒ１とは別の端部を特定する。例えば、第２特定部１４２は、原稿Ｒの第２端部Ｒ２を特定する。
【００５２】
画像処理部１４４は、読取部１３０によって生成された画像データを処理する。画像処理部１４４により、原稿Ｒに対応する画像を示す画像データを生成できる。
【００５３】
制御部１４０Ａは、画像加工部１４６をさらに含んでもよい。画像加工部１４６は、画像処理部１４４によって生成された画像データを加工する。例えば、画像加工部１４６は、画像データに示される画像に対して分割処理、ノド消処理および枠消処理のいずれかを行うように画像データを加工してもよい。
【００５４】
上述したように、カバー１２０は、原稿台１１０に対して支持部１１４を中心に回動する。これにより、カバー１２０は、原稿台１１０を開閉する。
【００５５】
次に、図１〜図３を参照して、画像読取装置１００におけるカバー１２０の開閉を説明する。図３（ａ）〜図３（ｃ）は、画像読取装置１００の模式的な側面図である。
【００５６】
ここでは、カバー１２０の状態は３段階に変化する。詳細には、カバー１２０は、開状態、中間状態および閉状態のいずれかに変化する。開閉検知部１１８は、カバー１２０の開閉状態を検知する。典型的には、画像読取装置１００のユーザーは、カバー１２０を開状態にして原稿Ｒを原稿台１１０に載置し、その後、カバー１２０を原稿台１１０に対して充分に閉じる。このとき、カバー１２０は、開状態、中間状態および閉状態の順番に変化する。
【００５７】
図３（ａ）に示すように、カバー１２０が原稿台１１０に対して充分に開いている場合、カバー１２０は開状態である。開閉検知部１１８は、カバー１２０が開状態であることを示す信号を制御部１４０Ａ（図２）に出力する。
【００５８】
開閉検知部１１８は、原稿台１１０の後側の縁部に設けられている。開閉検知部１１８は、可動部材１１８ａと、弾性体１１８ｂと、固定部材１１８ｃと、光センサー１１８ｄとを有する。可動部材１１８ａは、棒状であり、上下方向に移動可能である。
【００５９】
可動部材１１８ａは、接触端部と、遮断部とを有する。接触端部は、可動部材１１８ａの上端部に形成される。接触端部は、カバー１２０の後端部と接触する。遮断部は、可動部材１１８ａの下端部に形成される。遮断部は、後方に向かって突出して形成される。
【００６０】
弾性体１１８ｂは、可動部材１１８ａの下方に配置される。弾性体１１８ｂは、弾性部材を有する。弾性部材は、ゴムまたは圧縮バネを含む。弾性体１１８ｂは、可動部材１１８ａを上方に付勢する。
【００６１】
固定部材１１８ｃは、光センサー１１８ｄの上方に配置される。固定部材１１８ｃは、弾性体１１８ｂによって上方に付勢される可動部材１１８ａの上限位置を規定する。詳しくは、可動部材１１８ａの遮断部が固定部材１１８ｃに当接することによって、可動部材１１８ａの上限位置を規定する。
【００６２】
例えば、光センサー１１８ｄは、透過型光センサーである。光センサー１１８ｄは、発光部と、受光部とを有する。発光部は、光を出射する。受光部は、発光部から出射された光を受光する。光センサー１１８ｄは、制御部１４０Ａ（図２）に信号を出力する。
【００６３】
カバー１２０が開状態である場合、可動部材１１８ａが上方に位置する。このため、発光部から出射される光は受光部で受光される。光センサー１１８ｄにおいて、受光部が発光部から出射される光を受光すると、光センサー１１８ｄは、カバー１２０が開状態であることを示す信号を制御部１４０Ａ（図２）に出力する。
【００６４】
図３（ｂ）に示すように、カバー１２０が原稿台１１０に対してある程度開いている場合、カバー１２０は、中間状態である。例えば、原稿台１１０とカバー１２０とのなす角度αが１５°以上４０°以下の場合、カバー１２０は中間状態である。
【００６５】
カバー１２０が中間状態である場合、可動部材１１８ａが下方に位置する。このため、発光部から出射される光の光路は、可動部材１１８ａの遮断部によって部分的に遮断される。したがって、光センサー１１８ｄにおいて、受光部の受光量が第１閾値よりも低い場合、光センサー１１８ｄは、カバー１２０が中間状態であることを示す信号を制御部１４０Ａに出力する。
【００６６】
図３（ｃ）に示すように、カバー１２０が原稿台１１０に対してほぼ閉まる場合、カバー１２０は、閉状態である。例えば、原稿台１１０とカバー１２０とのなす角度は１５°未満である。
【００６７】
カバー１２０が閉状態である場合、可動部材１１８ａが下方に位置する。このため、発光部から出射される光の光路は、可動部材１１８ａの遮断部によって遮断される。したがって、光センサー１１８ｄにおいて、受光部の受光量が第１閾値よりも低い第２閾値よりも低い場合、光センサー１１８ｄは、カバー１２０が閉状態であることを示す信号を制御部１４０Ａに出力する。
【００６８】
次に、図１（ｂ）、図２および図４（ａ）を参照して、画像読取装置１００における原稿台１１０および読取部１３０の構成を説明する。図４（ａ）は、画像読取装置１００における原稿台１１０の模式的な平面図である。図４（ａ）では、カバー１２０を省略している。また、ミラー１３４ｂはミラー１３４ａの下方に位置しているため、ミラー１３４ｂは図４（ａ）には示されない。
【００６９】
原稿台１１０は、位置規制部材１１６をさらに有する。位置規制部材１１６は、原稿Ｒの位置を規制する。位置規制部材１１６は、主透光部１１２ａと副透光部１１２ｂとの間であって、主透光部１１２ａの境界と接するように配置される。
【００７０】
位置規制部材１１６は、主透光部１１２ａの側方に配置される。位置規制部材１１６は、主透光部１１２ａの後側および左側に位置する。
【００７１】
位置規制部材１１６は、第１規制部材１１６ａと第２規制部材１１６ｂとを含む。第１規制部材１１６ａは、主透光部１１２ａの左側において主走査方向（前後方向）に延びるように設けられる。第２規制部材１１６ｂは、主透光部１１２ａの後側において副走査方向（左右方向）に延びるように設けられる。
【００７２】
光源１３２ｂは、複数の発光素子を有する。複数の発光素子は、前後方向に沿って配列される。また、ミラー１３２ｃ、ミラー１３４ａおよびミラー１３４ｂは、前後方向に延びる板状である。撮像装置１３８は、複数の撮像素子を有する。複数の撮像素子は、前後方向に沿って配列される。
【００７３】
読取部１３０が原稿Ｒの読み取りを開始した後または原稿Ｒの読み取り中に、原稿Ｒの端部は特定されてもよい。例えば、原稿Ｒの読み取りを開始した後または原稿Ｒの読み取り中、原稿Ｒの第１端部Ｒ１が特定されてもよい。
【００７４】
また、読取部１３０が原稿Ｒの読み取りを開始する前に、原稿Ｒの端部は特定されてもよい。例えば、読取部１３０が原稿Ｒを読み取る前に、原稿Ｒの第２端部Ｒ２が特定されてもよい。原稿Ｒの第２端部Ｒ２は、外光を利用して特定される。
【００７５】
図４（ａ）は、外光検知位置に位置する走査ユニット１３２を示している。例えば、主透光部１１２ａの左端と外光検知位置の走査ユニット１３２との間の距離は１ｃｍ以上３ｃｍ以下である。
【００７６】
走査ユニット１３２が光源１３２ｂを点灯することなく外光検知位置に位置した状態で撮像装置１３８が透光部１１２を撮像することにより、第２特定部１４２は、原稿Ｒの有無および原稿Ｒの第２端部Ｒ２を特定できる。例えば、カバー１２０が中間状態である場合、読取部１３０は、外光の入り込んだ透光部１１２を撮像する。光源１３２ｂを点灯することなく外光が入り込む場合、原稿Ｒの載置された場所には光が入射せず、原稿Ｒの載置されない場所に光が入射する。このため、読取部１３０は、光源１３２ｂを点灯させることなく透光部１１２を撮像することにより、原稿Ｒの第２端部Ｒ２を特定できる。
【００７７】
または、走査ユニット１３２が外光検知位置に位置した状態で光源１３２ｂを点灯させて、撮像装置１３８が透光部１１２を撮像する。これにより、第２特定部１４２は、原稿Ｒの有無および原稿Ｒの第２端部Ｒ２を特定できる。
【００７８】
あるいは、読取部１３０は、光源１３２ｂを点灯させることなくカバー１２０が中間状態であるときの読取結果と、光源１３２ｂを点灯させた状態でカバー１２０が閉状態であるときの読取結果または読取処理操作が行われた場合の読取結果とに基づいて、第２特定部１４２は、原稿Ｒの第２端部Ｒ２を特定できる。このように、読取部１３０は、原稿Ｒの読み取りだけでなく原稿Ｒのサイズの検知にも用いられる。
【００７９】
なお、読取部１３０が原稿Ｒを読み取らない場合および原稿Ｒのサイズを検知しない場合、走査ユニット１３２は待機位置で待機する。走査ユニット１３２の待機位置は、原稿台１１０のうちの主透光部１１２ａと副透光部１１２ｂとの間の領域の下方である。
【００８０】
次に、図４（ｂ）を参照して、原稿台１１０に載置される原稿Ｒを説明する。図４（ｂ）は、画像読取装置１００における原稿台１１０の模式的な平面図である。
【００８１】
原稿台１１０の上面には、透光部１１２が設けられる。原稿Ｒは、主透光部１１２ａの後側および左側に載置される。主透光部１１２ａの後側および左側には位置規制部材１１６が配置されている。矩形状の原稿Ｒを位置規制部材１１６に接触させることにより、原稿Ｒは所定位置に載置される。
【００８２】
原稿Ｒを原稿台１１０に載置する際に、原稿Ｒの第３端部Ｒ３が第１規制部材１１６ａと接触し、原稿Ｒの第４端部Ｒ４が第２規制部材１１６ｂと接触することで、原稿Ｒは、主透光部１１２ａの所定の位置に規定される。この場合、第１端部Ｒ１は、原稿Ｒのうちの第１規制部材１１６ａから副走査方向に沿って離れた場所に位置する端部である。
【００８３】
図４（ａ）および図４（ｂ）から理解されるように、読取部１３０が主透光部１１２ａに載置された原稿Ｒを読み取る場合、走査ユニット１３２は待機位置から右側に移動しながら、光源１３２ｂは、原稿Ｒに向けて光を出射する。撮像装置１３８は、ミラー１３２ｃ、ミラー１３４ａおよびミラー１３４ｂを介して、透光部１１２を撮像する。撮像装置１３８は、撮像した画像に基づいて画像データを生成して制御部１４０Ａ（図２）に出力する。
【００８４】
また、読取部１３０が原稿Ｒのサイズを判定する場合、走査ユニット１３２は外光検知位置で透光部１１２に載置された原稿Ｒを撮像する。このとき、光源１３２ｂが光を出射すると、撮像装置１３８は、ミラー１３２ｃ、ミラー１３４ａおよびミラー１３４ｂを介して、光源１３２ｂから出射されて原稿Ｒによって反射された反射光を受光する。この結果、反射光の光量を示す信号が制御部１４０Ａ（図２）に出力される。反射光の光量を示す信号は、原稿Ｒの前後方向のサイズを示す。
【００８５】
次に、図５を参照して、本実施形態の画像読取装置１００を説明する。図５（ａ）は、画像読取装置１００の模式的な側面図である。ここでは、カバー１２０は、原稿台１１０とカバー１２０とのなす角度が最大となるようにカバー１２０は原稿台１１０に対して開いている。例えば、原稿台１１０に対するカバー１２０の最大角度は７５°である。一般に、搬送装置１７０を備えた画像読取装置１００における原稿台１１０とカバー１２０とのなす角度は、搬送装置１７０を備えない画像読取装置１００における原稿台１１０とカバー１２０とのなす角度よりも小さくなりやすい。
【００８６】
典型的には、画像読取装置１００は、照明光の存在下に設置される。図５（ａ）には、画像読取装置１００に照明光を出射する照明光源ＬＬを併せて示している。照明光源ＬＬは、画像読取装置１００の上方の天井に取り付けられている。
【００８７】
画像読取装置１００の上方に照明光源ＬＬが配置される場合、画像読取装置１００の原稿台１１０の上面の大部分は照明光源ＬＬによって照らされる一方で、画像読取装置１００の原稿台１１０の上面の一部には、カバー１２０によって影が形成される。図５（ａ）には、原稿台１１０の上面の大部分であって、照明光源ＬＬによって照らされる部分を照射領域Ｓａと示しており、原稿台１１０の後側部分であって、カバー１２０によって影となる部分を影領域Ｓｈと示している。
【００８８】
図５（ｂ）は、原稿台１１０に照射領域Ｓａおよび影領域Ｓｈの形成された画像読取装置１００の模式的な平面図である。ここでは、カバー１２０を省略して示している。照明光源ＬＬによって照らされる照射領域Ｓａは、原稿台１１０の上面のうちの前側に位置し、影領域Ｓｈは、原稿台１１０の上面のうちの支持部１１４側（後側）に形成される。
【００８９】
上述したように、図５（ａ）および図５（ｂ）では、カバー１２０が、原稿台１１０に対するカバー１２０の角度が最大となるように原稿台１１０に対して開いた状態を示した。なお、カバー１２０が、原稿台１１０に対するカバー１２０の角度が小さくなるようにカバー１２０の傾きを変更すると、照射領域Ｓａは狭くなり、影領域Ｓｈは前方に広がることになる。
【００９０】
図１および図２を参照して上述したように、本実施形態の画像読取装置１００において、第１特定部１４０は、画像データのうちの透光部１１２における支持部１１４側の位置に対応するデータを用いる。第１特定部１４０が、透光部１１２における支持部１１４側の位置に対応するデータを用いることより、原稿台１１０に対するカバー１２０の傾きがいずれの場合でも原稿Ｒの第１端部Ｒ１を容易に特定できる。
【００９１】
次に、図１、図５および図６を参照して、本実施形態の画像読取装置１００による読取処理を説明する。図６（ａ）〜図６（ｄ）は、本実施形態の画像読取装置１００における読取部１３０の走査ユニット１３２の移動を示す模式的な平面図である。なお、説明が過度に複雑になることを避けるために、ここでは、原稿Ｒは白紙とする。
【００９２】
まず、図６（ａ）に示すように、読取部１３０が原稿Ｒを読み取る場合、走査ユニット１３２は待機位置から右側に向かって移動を開始する。この場合、光源１３２ｂは点灯している。
【００９３】
図６（ａ）に示すように、原稿台１１０には、影領域Ｓｈが形成される。ここでは、カバー１２０の傾きは最大である。影領域Ｓｈにおいて、透光部１１２の後端（支持部１１４側の端）から影領域Ｓｈの前端までの長さＬは、透光部１１２の主走査方向に沿った長さの半分よりも短い。例えば、透光部１１２の後端から影領域Ｓｈの前端までの長さＬは１ｃｍ以下である。
【００９４】
ここでは、走査ユニット１３２のミラー１３２ｃのうち、原稿Ｒの下方に位置するとともに影領域Ｓｈに位置する部分を部分Ａと示す。同様に、走査ユニット１３２のうち、原稿Ｒの下方に位置するとともに照射領域Ｓａに対応する部分を部分Ｂと示す。
【００９５】
部分Ａにおいて、光源１３２ｂから出射された光は原稿Ｒにおいて反射され、部分Ａを通過する。このため、部分Ａを通過する光の強度または輝度は原稿Ｒに対応する。原稿Ｒが白い場合、部分Ａを通過する光の強度または輝度は比較的高い（すなわち、部分Ａの濃度は低い）。
【００９６】
同様に、部分Ｂにおいて、光源１３２ｂから出射された光は原稿Ｒにおいて反射され、部分Ｂを通過する。このため、原稿Ｒが白い場合、部分Ｂを通過する光の強度または輝度は比較的高い（すなわち、部分Ｂの濃度は低い）。したがって、部分Ａを通過する光の強度は、部分Ｂを通過する光の強度とほぼ等しい。
【００９７】
次に、図６（ｂ）に示すように、走査ユニット１３２は左側から右側に向かって移動し続ける。走査ユニット１３２が原稿Ｒのうち副走査方向に沿った長さの半分の位置に到達した場合も、部分Ａにおいて、走査ユニット１３２の光源１３２ｂから出射された光は原稿Ｒにおいて反射され、部分Ａを通過する。このとき、部分Ａを通過する光の強度または輝度は比較的高い。同様に、部分Ｂにおいて、走査ユニット１３２の光源１３２ｂから出射された光は原稿Ｒにおいて反射され、部分Ｂを通過する。このとき、部分Ｂを通過する光の強度または輝度は比較的高い。
【００９８】
次に、図６（ｃ）に示すように、走査ユニット１３２は左側から右側に向かって移動し続ける。走査ユニット１３２が、原稿Ｒの下方であって原稿Ｒのうち第１端部Ｒ１の近傍に到達した場合も、部分Ａにおいて、走査ユニット１３２の光源１３２ｂから出射された光は原稿Ｒにおいて反射され、部分Ａを通過する。このとき、部分Ａを通過する光の強度または輝度は比較的高い。同様に、部分Ｂにおいて、光源１３２ｂから出射された光は原稿Ｒにおいて反射され、部分Ｂを通過する。したがって、部分Ａを通過する光の強度は、部分Ｂを通過する光の強度とほぼ等しい。
【００９９】
次に、図６（ｄ）に示すように、走査ユニット１３２が左側から右側に向かって移動し続けると、走査ユニット１３２は、原稿Ｒの第１端部Ｒ１の下方を通過し、原稿Ｒの第１端部Ｒ１よりも右側に到達する。この場合、走査ユニット１３２が原稿Ｒの下方を通過したため、部分Ａにおいて、走査ユニット１３２の光源１３２ｂから出射された光は、原稿Ｒにおいて反射されず、部分Ａを通過しない。さらに、部分Ａは、影領域Ｓｈに位置するため、部分Ａには、照明光源ＬＬからの光は照射されない。この場合、部分Ａを通過する光の強度または輝度は比較的低い。
【０１００】
一方、部分Ｂにおいても、走査ユニット１３２の光源１３２ｂから出射された光は、原稿Ｒにおいて反射されず、部分Ｂを通過しない。しかしながら、部分Ｂは、照射領域Ｓａに位置するため、部分Ｂには、照明光源ＬＬからの光が照射される。この場合、部分Ｂを通過する光の強度または輝度は比較的高くなる。
【０１０１】
図６（ｃ）と図６（ｄ）との比較から理解されるように、部分Ａを通過する光の強度または輝度は、原稿Ｒの第１端部Ｒ１の下方を通過したか否かに応じて大きく異なる。このため、画像データのうち、部分Ａに対応するデータを用いることにより、部分Ａが原稿Ｒの第１端部Ｒ１の下方を通過したか否かを判定でき、原稿Ｒの第１端部Ｒ１を容易に特定できる。
【０１０２】
一方、部分Ｂについては、照射領域Ｓａの光の強度または輝度が比較的高い場合、部分Ｂを通過する光の強度または輝度は、走査ユニット１３２が原稿Ｒの第１端部Ｒ１の下方を通過したか否かにかかわらずそれほど変化しない。このため、画像データのうち、部分Ｂに対応するデータを用いても、原稿Ｒの第１端部Ｒ１を特定できないことがある。第１特定部１４０は、画像データのうち、透光部１１２の後端から影領域Ｓｈの前端までの長さＬ（例えば、１ｃｍ）内のデータを用いることにより、カバー１２０が大きく開いても、原稿Ｒの第１端部Ｒ１を特定できる。
【０１０３】
なお、図６を参照した上述の説明では、カバー１２０は開状態である場合の読取処理を説明したが、本実施形態はこれに限定されない。カバー１２０は閉状態であってもよい。
【０１０４】
図１、図３および図６から理解されるように、原稿Ｒが原稿台１１０の主透光部１１２ａの上面に載置され、カバー１２０が閉状態である場合、原稿Ｒは、主透光部１１２ａと第１押え部１２２ａとの間に挟まれる。このとき、主透光部１１２ａの後側および左側は原稿Ｒに覆われ、主透光部１１２ａの他の部分は第１押え部１２２ａに覆われる。
【０１０５】
副走査方向に沿って移動する走査ユニット１３２が原稿Ｒの下方に位置する場合、光源１３２ｂから出射された光は原稿Ｒにおいて反射され、部分Ａを通過する。この場合、部分Ａを通過する光の強度または輝度は比較的高い。走査ユニット１３２が右側に移動して原稿Ｒの第１端部Ｒ１と第１押え部１２２ａとの境界の下方に到達した場合、原稿Ｒと第１押え部１２２との間の色、反射率および走査ユニット１３２からの高さの違いに応じて、部分Ａを通過する光の強度または輝度は若干低下する。その後、走査ユニット１３２がさらに右側に移動して第１押え部１２２ａの下方に到達した場合、光源１３２ｂから出射された光は第１押え部１２２ａにおいて反射され、部分Ａを通過する。この場合、部分Ａを通過する光の強度または輝度は比較的高い。
【０１０６】
このように、走査ユニット１３２が原稿Ｒと第１押え部１２２ａとの境界の下方を通過する際に、部分Ａを通過する光の強度または輝度は変化する。したがって、画像データのうち部分Ａに対応するデータを用いることにより、原稿Ｒの第１端部Ｒ１を特定できる。例えば、画像データによって示される光の強度または輝度を微分することにより、原稿Ｒと第１押え部１２２との境界を判定でき、原稿Ｒの第１端部Ｒ１を容易に特定できる。なお、原稿Ｒと第１押え部１２２との境界が判定された後、読取部１３０の走査は終了し、読取部１３０は待機位置に戻ってもよい。
【０１０７】
原稿Ｒが原稿台１１０の主透光部１１２ａの上面に載置され、カバー１２０が閉状態である場合、画像データのうち部分Ｂに対応するデータを用いても、原稿Ｒの第１端部Ｒ１を特定できる。
【０１０８】
詳細には、副走査方向に沿って移動する走査ユニット１３２が原稿Ｒの下方に位置する場合、光源１３２ｂから出射された光は原稿Ｒにおいて反射され、部分Ｂを通過する。この場合、部分Ｂを通過する光の強度または輝度は比較的高い。走査ユニット１３２が右側に移動して走査ユニット１３２が原稿Ｒの第１端部Ｒ１と第１押え部１２２ａとの境界の下方に到達した場合、原稿Ｒと第１押え部１２２との間の色、反射率および部分Ｂからの高さの違いに応じて、部分Ｂを通過する光の強度または輝度が若干低下する。走査ユニット１３２がさらに右側に移動して第１押え部１２２ａの下方に到達した場合、光源１３２ｂから出射された光は第１押え部１２２ａにおいて反射され、部分Ｂを通過する。この場合、部分Ｂを通過する光の強度または輝度は比較的高い。
【０１０９】
このように、走査ユニット１３２が原稿Ｒと第１押え部１２２ａとの境界の下方を通過する際に、部分Ｂを通過する光の強度または輝度が変化する。このため、画像データのうち部分Ｂに対応するデータを用いることにより、原稿Ｒの第１端部Ｒ１を特定できる。以上のように、カバー１２０が閉状態である場合は、画像データのうち部分Ａに対応するデータだけでなく部分Ｂに対応するデータを用いても、原稿Ｒの第１端部Ｒ１を特定できる。
【０１１０】
なお、図６を参照した上述の説明では、原稿Ｒが原稿台１１０の透光部１１２に載置されたが、本実施形態はこれに限定されない。原稿Ｒは搬送装置１７０によって搬送され、読取部１３０は、原稿台１１０の副透光部１１２ｂを介して第２押え部１２２ｂと対向する位置で、搬送装置１７０によって搬送される原稿Ｒを読み取ってもよい。
【０１１１】
読取部１３０によって生成された画像データは、処理および／または加工されることが好ましい。
【０１１２】
次に、図１、図２および図７（ａ）〜図７（ｃ）を参照して、本実施形態の画像読取装置１００における画像処理を説明する。
【０１１３】
図７（ａ）は、原稿Ｒの模式図である。図７（ａ）に示すように、ここでは、原稿Ｒの中央にはアルファベットの文字「Ａ」が記載されている。なお、実際には、読取部１３０は、下方側から原稿Ｒを読み取るが、ここでは、説明が過度に複雑になることを避けるために、原稿Ｒを上方から見たように示している。
【０１１４】
図７（ｂ）は、原稿Ｒを読み取って生成された画像データに示される画像ＴＧの模式図である。読取部１３０が原稿Ｒを読み取る場合、読取部１３０は、原稿Ｒだけでなく原稿Ｒの周囲も併せて読み取ることになる。このため、読取部１３０によって生成された画像データは、原稿Ｒに対応する画像ＲＧだけでなく、原稿Ｒの外側に位置する原稿外画像ＯＧを含む画像ＴＧを示す。なお、カバー１２０が開状態である場合、図７（ｂ）に示すように、原稿外画像ＯＧは、右側および後側に位置する影領域の画像ＳＧを含む。
【０１１５】
画像処理部１４４は、画像ＴＧを示す画像データを処理する。例えば、画像処理部１４４は、第１特定部１４０によって特定された原稿Ｒの第１端部Ｒ１および第２特定部１４２によって特定された原稿Ｒの第２端部Ｒ２に基づいて、画像ＴＧを示す画像データを処理する。
【０１１６】
図７（ｃ）は、原稿Ｒに対応する画像ＲＧの模式図である。画像処理部１４４は、画像ＴＧを示す画像データから原稿外画像ＯＧを示す画像データを削除することで、原稿Ｒに対応する画像ＲＧを示す画像データを生成する。以上のようにして、原稿Ｒに対応する画像ＲＧを示す画像データを生成できる。
【０１１７】
本実施形態の画像読取装置１００では、カバー１２０が開状態でも、原稿Ｒの第１端部Ｒ１を好適に特定できる。なお、原稿Ｒとして本を原稿台１１０に載置する場合、カバー１２０は原稿台１１０に対して充分に閉まらないことが多い。さらに、典型的な用紙とは異なり、本のサイズは画一化されていないことが多く、本のサイズは本の種類に応じてしばしば異なる。このため、本実施形態の画像読取装置１００は、本の読み取りに好適に用いられる。
【０１１８】
次に、図８を参照して、本実施形態の画像読取装置１００が本Ｂｏの見開きページを読み取る形態を説明する。
【０１１９】
図８（ａ）は、本Ｂｏの載置された画像読取装置１００を示す模式的な平面図である。図８（ａ）に示すように、本Ｂｏは、原稿台１１０に載置される。具体的には、本Ｂｏは、原稿台１１０の主透光部１１２ａの後側および左側に載置される。
【０１２０】
図８（ｂ）は、原稿台１１０の主透光部１１２ａに載置された本Ｂｏを示す模式図である。図８（ｂ）に示すように、本Ｂｏを原稿台１１０の主透光部１１２ａに載置する場合、ノド部分で複数の頁が固定されているため、本Ｂｏの中央部分は、主透光部１１２ａと接触しない。
【０１２１】
図８（ｃ）は、画像読取装置１００において載置される本Ｂｏの見開きページを示す模式図である。本Ｂｏの左側頁にはアルファベットの文字「ＡＢＣＤ・・・」が記載されており、本Ｂｏの右側頁にはアルファベットの文字「ａｂｃｄ・・・」が記載されている。
【０１２２】
図８（ｄ）は、本Ｂｏの載置された画像読取装置１００の模式的な側面図である。画像読取装置１００において本Ｂｏの載置された原稿台１１０に対してカバー１２０がある程度閉じた場合でも、本Ｂｏの厚さによってカバー１２０は原稿台１１０に完全には閉じられない。この場合、カバー１２０は中間状態となることがある。
【０１２３】
次に、図１、図２、図８および図９（ａ）〜図９（ｇ）を参照して、本実施形態の画像読取装置１００における画像処理および加工処理を説明する。
【０１２４】
図９（ａ）は、本Ｂｏを読み取って生成された画像データによって示される画像ＴＧの模式図である。図９（ａ）に示すように、画像データは、原稿Ｒに対応する画像ＲＧだけでなく原稿Ｒの外側に位置する原稿外画像ＯＧを含む画像ＴＧを示す。原稿Ｒに対応する画像ＲＧの中央には、本のノドに対応して比較的黒い（輝度の低いまたは濃度の高い）部分がある。また、ここでも、原稿外画像ＯＧは、右側および後側に位置する影領域の画像ＳＧを含む。
【０１２５】
図９（ｂ）は、原稿Ｒに対応する画像ＲＧの模式図である。上述したように、原稿Ｒの第１端部Ｒ１および第２端部Ｒ２を特定したことにより、画像ＴＧを示す画像データから、原稿外画像ＯＧを示すデータを削除することにより、原稿Ｒに対応する画像ＲＧを示す画像データを生成できる。
【０１２６】
なお、原稿Ｒとして本Ｂｏの見開きを読み取った場合、原稿Ｒに対応する画像ＲＧを分割するように画像データを加工してもよい。これにより、本のページごとに、異なる画像データを生成できる。
【０１２７】
図９（ｃ）は、原稿Ｒに対応する画像ＲＧを分割した画像ＲＧ１の模式図である。原稿Ｒの第１端部Ｒ１を特定したことにより、副走査方向に沿った辺の半分の位置で画像ＲＧを分割した画像ＲＧ１を形成できる。このように、画像ＲＧを分割するように画像ＲＧを示す画像データを加工することで、本の頁ごとに対応した画像を示す画像データを生成できる。
【０１２８】
原稿Ｒとして本Ｂｏの見開きを読み取る場合、原稿Ｒに対応する画像ＲＧのノドを消すように画像データを加工してもよい。あるいは、原稿Ｒに対応する画像ＲＧの外枠を消すように画像データを加工してもよい。これにより、画像データのデータ量を低減できる。あるいは、画像データの加工により、元の原稿Ｒの不要部分を除去した画像を示す画像データを生成してもよい。
【０１２９】
図９（ｄ）は、画像ＲＧからノドを特定するための処理を示す模式図である。原稿Ｒの第１端部Ｒ１を特定したことにより、図９（ｄ）に示すように、副走査方向に沿った辺の半分の位置を中心とし、中心から所定の距離内にある領域ＤＲを決定できる。領域ＤＲは、本のノドに対応する。
【０１３０】
図９（ｅ）は、画像ＲＧから領域ＤＲを削除した画像ＲＧ２を示す模式図である。原稿Ｒに対応する画像ＲＧを示す画像データから領域ＤＲに対応するデータを削除した結果、画像ＲＧからノドを消した画像ＲＧ２を示す画像データを生成できる。この場合、画像ＲＧから本のノドに対応する領域ＤＲを削除した画像ＲＧ２を生成できるため、画像データのデータ量を低減できる。
【０１３１】
図９（ｆ）は、画像ＲＧから外枠を消すための処理を示す模式図である。原稿Ｒの第１端部Ｒ１および第２端部Ｒ２を特定したことにより、図９（ｆ）に示すように、本の見開きの左側頁領域Ｐ１および右側頁領域Ｐ２を決定するとともに、それ以外の領域ＤＲ２と決定する。
【０１３２】
図９（ｇ）は、画像ＲＧから領域ＤＲ２を削除した画像ＲＧ３の模式図である。原稿Ｒに対応する画像ＲＧを示す画像データから領域ＤＲ２に対応するデータを削除した結果、画像ＲＧから外枠を消した画像ＲＧ３を示す画像データを生成できる。この場合も、画像データのデータ量を低減できる。
【０１３３】
なお、上述した説明で参照した図９（ｅ）および図９（ｇ）では、画像データの加工によってデータ量を低減させたが、本実施形態はこれに限定されない。データ量を低減することなく画像データを加工してもよい。例えば、本Ｂｏのノド部分および／または本の外枠部分に対応する画像が白くなるように画像データを加工することにより、不要な画像を消去した画像データを生成できる。以上のように、原稿Ｒの第１端部Ｒ１の特定結果を利用して、画像データを加工してもよい。
【０１３４】
次に、図１および図１０を参照して、本実施形態の画像読取装置１００における画像データ生成処理を説明する。図１０は、本実施形態の画像読取装置１００における画像データ生成処理を説明するためのフローチャートである。
【０１３５】
まず、ステップＳ１０において、読取処理を行う。読取処理により、原稿Ｒの画像を含む画像データを生成する。読取処理では、原稿Ｒに対して読取部１３０を相対的に移動させて読取部１３０が原稿Ｒを読み取る。例えば、原稿Ｒが原稿台１１０に載置される場合、原稿Ｒに対して読取部１３０が移動することで読取処理が行われる。あるいは、搬送装置１７０が原稿Ｒを原稿台１１０に搬送する場合、原稿Ｒが読取部１３０に対して移動することで読取処理が行われる。
【０１３６】
次に、ステップＳ２０において、画像処理を行う。画像処理では、読取部１３０によって生成された画像データを処理する。例えば、画像処理では、原稿Ｒに対応する画像を示す画像データから原稿外画像に対応するデータを削除することにより、原稿Ｒに対応する画像を示す画像データを生成できる。
【０１３７】
例えば、特定された原稿Ｒの第１端部Ｒ１および第２端部Ｒ２を用いて、原稿Ｒに対応する画像および原稿外画像を決定し、画像データから原稿外画像を示すデータを削除することにより、原稿Ｒに対応する画像を示す画像データを生成できる。さらに、特定された原稿Ｒの第１端部Ｒ１および第２端部Ｒ２を用いて、原稿Ｒに対応する画像を示す画像データを加工処理してもよい。以上のようにして、画像データ生成処理を終了する。
【０１３８】
次に、図１、図３、図１０および図１１を参照して、本実施形態の画像読取装置１００における読取処理を説明する。図１１は、画像読取装置１００における読取処理を説明するためのフローチャートである。
【０１３９】
原稿Ｒを読み取る場合、ステップＳ１２において、原稿Ｒの第２端部Ｒ２を特定する。原稿Ｒの第２端部Ｒ２を特定する処理の一例は、図１２、図１４および図１５を参照して後述する。
【０１４０】
次に、ステップＳ１４において、原稿Ｒを読み取る。読取部１３０は、原稿Ｒに対して相対的に移動しながら原稿Ｒを読み取る。
【０１４１】
次に、ステップＳ１６において、原稿Ｒの第１端部Ｒ１を特定する。原稿Ｒの第１端部Ｒ１を特定する処理の一例は、図１３および図１６を参照して後述する。以上のようにして、読取処理を終了する。読取処理により、原稿Ｒの画像を含む画像データを形成できる。また、読取処理により、原稿Ｒの第１端部Ｒ１および第２端部Ｒ２を特定できる。
【０１４２】
次に、図１〜図４、図１１および図１２を参照して、本実施形態の画像読取装置１００における第２端部特定処理を説明する。図１２は、画像読取装置１００における第２端部特定処理を説明するためのフローチャートである。
【０１４３】
まず、ステップＳ１２２においてカバー１２０が開状態から中間状態に変化したか否かを判定する。典型的には、ユーザーが原稿Ｒを原稿台１１０に載置する場合、ユーザーは原稿台１１０に対してカバー１２０を開いて、原稿Ｒを原稿台１１０に載置する。このとき、カバー１２０は開状態である。その後、ユーザーは、原稿台１１０に対してカバー１２０を閉じる。このとき、カバー１２０が開状態から中間状態に変化する。
【０１４４】
カバー１２０が開状態から中間状態に変化しない場合（ステップＳ１２２のＮｏ）、処理は、ステップＳ１２２に戻り、カバー１２０が開状態から中間状態に変化するまで待機する。カバー１２０が開状態から中間状態に変化する場合（ステップＳ１２２のＹｅｓ）、処理は、ステップＳ１２４に進む。
【０１４５】
ステップＳ１２４において、走査ユニット１３２は外光検知位置で光源１３２ｂを点灯せずに検知する。撮像装置１３８は、透光部１１２を撮像し、撮像した結果を制御部１４０Ａに出力する。カバー１２０が中間状態であるため、撮像装置１３８は、照明光を含む外光の入り込む透光部１１２を撮像する。その後、処理は、ステップＳ１２６に進む。
【０１４６】
ステップＳ１２６において、カバー１２０が中間状態から閉状態に変化したか否かを判定する。典型的には、ユーザーは、原稿Ｒを原稿台１１０に載置した後、原稿台１１０に対してカバー１２０を完全に閉じる。このとき、カバー１２０が中間状態から閉状態に変化する。
【０１４７】
カバー１２０が中間状態から閉状態に変化しない場合（ステップＳ１２６のＮｏ）、処理は、ステップＳ１２６に戻り、カバー１２０が閉状態に変化するまで待機する。カバー１２０が閉状態に変化する場合（ステップＳ１２６のＹｅｓ）、処理は、ステップＳ１２８に進む。
【０１４８】
ステップＳ１２８において、光源１３２ｂを点灯して検知する。このとき、走査ユニット１３２は外光検知位置に位置し、撮像装置１３８は撮像結果を出力する。
【０１４９】
ステップＳ１３０において、原稿Ｒの第２端部Ｒ２を特定する。第２特定部１４２は、ステップＳ１２４における検知結果、および／または、ステップＳ１２８における検知結果に基づいて原稿Ｒの第２端部Ｒ２を特定する。例えば、ステップＳ１２４において、透光部１１２のうちの原稿Ｒの載置された領域では外光が検出されない一方で、透光部１１２のうちの原稿Ｒの載置されない領域では、外光が検出される。また、ステップＳ１２６において、透光部１１２のうちの原稿Ｒと対向する領域と押え部１２２と対向する領域との境界において、光の強度または輝度が変化する。このため、第２特定部１４２は、画像データに基づいて、原稿Ｒの第２端部Ｒ２を特定できる。
【０１５０】
以上のようにして、第２端部特定処理を終了する。第２端部特定処理により、原稿Ｒの第２端部Ｒ２を特定できる。
【０１５１】
次に、図１、図２、図１１および図１３を参照して、本実施形態の画像読取装置１００における第１端部特定処理を説明する。図１３は、画像読取装置１００における第１端部特定処理を説明するためのフローチャートである。第１端部特定処理は、原稿Ｒの読み取りを開始した後に行われる。
【０１５２】
ステップＳ１６２において、原稿Ｒと押え部１２２との境界が見つかったか否かを判定する。原稿Ｒと押え部１２２との境界が見つかった場合（ステップＳ１６２のＹｅｓ）、処理は、ステップＳ１６６に進む。原稿Ｒと押え部１２２との境界が見つからなかった場合（ステップＳ１６２のＮｏ）、処理は、ステップＳ１６４に進む。
【０１５３】
ステップＳ１６４において、読取部１３０が透光部１１２の副走査方向の端に到達したか否かを判定する。詳細には、制御部１４０Ａは、読取部１３０の走査ユニット１３２が透光部１１２のうちの副走査方向の右端に到達したか否を判定する。
【０１５４】
読取部１３０が副走査方向の端に到達した場合（ステップＳ１６４のＹｅｓ）、処理は、ステップＳ１６６に進む。読取部１３０が副走査方向の端に到達していない場合（ステップＳ１６６のＮｏ）、処理は、ステップＳ１６２に戻る。
【０１５５】
ステップＳ１６６において、読取を終了する。その後、読取部１３０は待機位置に戻る。処理は、ステップＳ１６８に進む。
【０１５６】
ステップＳ１６８において、原稿Ｒの第１端部Ｒ１を決定する。原稿Ｒと押え部１２２との境界が見つかった場合（ステップＳ１６２のＹｅｓ）、ステップＳ１６８において、第１特定部１４０は、ステップＳ１６２において見つけた境界に基づいて原稿Ｒの第１端部Ｒ１を特定する。
【０１５７】
一方、読取部１３０が副走査方向の端に到達した場合（ステップＳ１６４のＹｅｓ）、ステップＳ１６８において、第１特定部１４０は、画像データのうちの透光部１１２における支持部１１４側の位置に対応するデータに基づいて原稿Ｒのうちの１つの端部を特定する。したがって、第１特定部１４０は、画像データに基づいて、原稿Ｒの第１端部Ｒ１を特定できる。
【０１５８】
以上のようにして、第１端部特定処理を終了する。第１端部特定処理により、原稿Ｒの第１端部Ｒ１を特定できる。
【０１５９】
原稿Ｒが薄い用紙である場合、典型的には、カバー１２０を閉状態にできる。一方、原稿Ｒが本Ｂｏである場合、カバー１２０を閉状態にできないことがある。一方、この場合、原稿Ｒの第２端部Ｒ２を特定するために、スタートボタンの操作に応じて光源１３２ｂを点灯して検知してもよい。
【０１６０】
次に、図１〜図４、図１１および図１４を参照して、本実施形態の画像読取装置１００における第２端部特定処理を説明する。図１４は、画像読取装置１００における第２端部特定処理を説明するためのフローチャートである。なお、図１４のステップＳ１２２ａ、ステップＳ１２４ａ、ステップＳ１２８ａおよびステップＳ１３０ａは、図１２のステップＳ１２２、ステップＳ１２４、ステップＳ１２８およびステップＳ１３０と同様である。このため、冗長を避けるために重複する説明を省略する。
【０１６１】
ステップＳ１２６ａにおいて、スタートボタンが押されたか否かを判定する。典型的には、スタートボタンが押される場合、カバー１２０は中間状態であっても、原稿台１１０とカバー１２０とのなす角度は比較的小さいことが多い。
【０１６２】
スタートボタンが押されなかった場合（ステップＳ１２６ａのＮｏ）、処理は、ステップＳ１２６ａに戻り、スタートボタンが押されるまで待機する。スタートボタンが押された場合（ステップＳ１２６ａのＹｅｓ）、処理は、ステップＳ１２８ａに進む。
【０１６３】
ステップＳ１２８ａにおいて、光源１３２ｂを点灯して検知する。このとき、走査ユニット１３２は外光検知位置に位置する。撮像装置１３８は、透光部１１２を撮像し、撮像した結果を制御部１４０Ａに出力する。その後、ステップＳ１３０ａにおいて、原稿Ｒの第２端部Ｒ２を特定する。
【０１６４】
以上のようにして、第２端部特定処理を終了する。第２端部特定処理により、原稿Ｒの第２端部Ｒ２が特定される。
【０１６５】
次に、図１〜図４、図７、図９、図１５および図１６を参照して、本実施形態の画像読取装置１００における画像データ生成処理を説明する。図１５および図１６は、本実施形態の画像読取装置１００における画像データ生成処理を説明するためのフローチャートである。
【０１６６】
まず、ステップＳ３０２においてカバー１２０が開状態から中間状態に変化したか否かを判定する。典型的には、ユーザーが原稿Ｒを原稿台１１０に載置する場合、ユーザーは原稿台１１０に対してカバー１２０を開いて、原稿Ｒを原稿台１１０に載置する。その後、ユーザーは、原稿台１１０に対してカバー１２０を閉じる。このとき、カバー１２０が開状態から中間状態に変化する。
【０１６７】
カバー１２０が開状態から中間状態に変化しない場合（ステップＳ３０２のＮｏ）、処理は、ステップＳ３０２に戻り、カバー１２０が開状態から中間状態に変化するまで待機する。カバー１２０が開状態から中間状態に変化する場合（ステップＳ３０２のＹｅｓ）、処理は、ステップＳ３０４に進む。
【０１６８】
ステップＳ３０４において、走査ユニット１３２は外光検知位置で光源１３２ｂを点灯せずに検知する。撮像装置１３８は、透光部１１２を撮像し、撮像した結果を制御部１４０Ａに出力する。カバー１２０が中間状態であるため、撮像装置１３８は、照明光を含む外光の入り込む透光部１１２を撮像する。その後、処理は、ステップＳ３０６に進む。
【０１６９】
ステップＳ３０６において、カバー１２０が中間状態から閉状態に変化したか否かを判定する。カバー１２０が中間状態から閉状態に変化した場合（ステップＳ３０６のＹｅｓ）、処理は、ステップＳ３１０に進む。例えば、ユーザーが原稿Ｒを原稿台１１０に載置した後、ユーザーは、原稿台１１０に対してカバー１２０を完全に閉じる。このとき、カバー１２０が中間状態から閉状態に変化する。この場合、処理は、ステップＳ３１０に進む。
【０１７０】
カバー１２０が中間状態から閉状態に変化しなかった場合（ステップＳ３０６のＮｏ）、処理は、ステップＳ３０８に進む。ユーザーが本Ｂｏを原稿台１１０に載置した後、ユーザーは、原稿台１１０に対してカバー１２０を閉じても、カバー１２０は中間状態のままである。この場合、処理は、ステップＳ３０８に進む。
【０１７１】
ステップＳ３０８において、スタートボタンが押されたか否かを判定する。スタートボタンが押されなかった場合（ステップＳ３０８のＮｏ）、処理は、ステップＳ３０８に戻り、スタートボタンが押されるまで待機する。スタートボタンが押された場合（ステップＳ３０８のＹｅｓ）、処理は、ステップＳ３１０に進む。
【０１７２】
ステップＳ３１０において、光源１３２ｂを点灯して検知する。このとき、走査ユニット１３２は外光検知位置に位置し、撮像装置１３８は撮像結果を出力する。
【０１７３】
ステップＳ３１２において、原稿Ｒの第２端部Ｒ２を特定する。第２特定部１４２は、ステップＳ１２４ａにおける検知結果、および／または、ステップＳ１２８ａにおける検知結果に基づいて原稿Ｒの第２端部Ｒ２を特定する。例えば、ステップＳ１２４において、透光部１１２のうちの原稿Ｒの載置された領域では外光が検出されない一方で、透光部１１２のうちの原稿Ｒの載置されない領域では、外光が検出される。また、ステップＳ１２６において、透光部１１２のうちの原稿Ｒと対向する領域と押え部１２２と対向する領域との境界において、光の強度または輝度が変化する。このため、第２特定部１４２は、画像データに基づいて、原稿Ｒの第２端部Ｒ２を特定できる。
【０１７４】
ステップＳ３１４において、原稿Ｒの読み取りを開始する。走査ユニット１３２は、外光検知位置から左側の待機位置に一旦戻った後、待機位置から右側に移動しながら、光源１３２ｂは原稿Ｒに向けて光を出射する。撮像装置１３８は、透光部１１２を撮像し、撮像した結果を制御部１４０Ａに出力する。
【０１７５】
ステップＳ３１６において、原稿Ｒと押え部１２２との境界が見つかったか否かを判定する。原稿Ｒと押え部１２２との境界が見つかった場合（ステップＳ３１６のＹｅｓ）、処理は、ステップＳ３２０に進む。原稿Ｒと押え部１２２との境界が見つからなかった場合（ステップＳ３１６のＮｏ）、処理は、ステップＳ３１８に進む。
【０１７６】
ステップＳ３１８において、読取部１３０が透光部１１２のうちの副走査方向の端に到達したか否かを判定する。詳細には、制御部１４０Ａは、読取部１３０の走査ユニット１３２が透光部１１２のうちの副走査方向の右側の端に到達したか否を判定する。
【０１７７】
読取部１３０が副走査方向の端に到達した場合（ステップＳ３１８のＹｅｓ）、処理は、ステップＳ３２０に進む。読取部１３０が副走査方向の端に到達していない場合（ステップＳ３２０のＮｏ）、処理は、ステップＳ３１６に戻る。
【０１７８】
ステップＳ３２０において、読取を終了する。その後、読取部１３０は待機位置に戻る。処理は、ステップＳ３２２に進む。
【０１７９】
ステップＳ３２２において、原稿Ｒの第１端部Ｒ１を決定する。原稿Ｒと押え部１２２との境界が見つかった場合（ステップＳ３１６のＹｅｓ）、ステップＳ３２２において、第１特定部１４０は、ステップＳ３１６において見つけた境界に基づいて原稿Ｒの第１端部Ｒ１を特定する。
【０１８０】
読取部１３０が副走査方向の端に到達した場合（ステップＳ３１８のＹｅｓ）には、ステップＳ３２２において、第１特定部１４０は、画像データのうちの透光部１１２における支持部１１４側の位置に対応するデータに基づいて原稿Ｒのうちの１つの端部を特定する。したがって、第１特定部１４０は、画像データに基づいて、原稿Ｒの第１端部Ｒ１を特定できる。
【０１８１】
ステップＳ３２４において、制御部１４０Ａは、特定された第１端部Ｒ１および第２端部Ｒ２を用いて、原稿Ｒに対応する画像ＲＧの領域を特定する。
【０１８２】
ステップＳ３２６において、原稿Ｒに対応する画像ＲＧを示す画像データを生成する。画像処理部１４４は、画像ＴＧを示す画像データから原稿外画像ＯＧを示す画像データを削除することで、原稿Ｒに対応する画像ＲＧを示す画像データを生成する。
【０１８３】
ステップＳ３２８において、画像データを加工処理する。例えば、画像加工部１４６は、画像データに示される画像に対して分割処理、ノド消処理および枠消処理のいずれかを行うように画像データを加工する。以上のようにして、画像データ生成処理が行われる。
【０１８４】
なお、図１〜図１６を参照して上述した説明では、画像読取装置１００は、原稿Ｒを読み取って画像データを生成し、画像データを処理した。なお、画像読取装置１００によって処理された画像データに基づいて画像が形成されてもよい。
【０１８５】
次に、図１７を参照して、本実施形態の画像読取装置１００を備えた画像形成装置２００の構成を説明する。図１７は、画像形成装置２００の模式図である。画像形成装置２００は、例えば、プリンター、コピー機または複合機である。画像形成装置２００は、ファクシミリ機能を有してもよい。ここでは、画像形成装置２００は電子写真方式である。
【０１８６】
画像形成装置２００は、画像読取装置１００に加えて、給送部２１０と、搬送部２２０と、画像形成部２３０と、装置制御部２４０とを備える。給送部２１０は、シートＳを収容し、シートＳを給送する。搬送部２２０は、シートＳを搬送する。画像形成部２３０は、搬送部２２０によって搬送されるシートＳに画像を形成する。装置制御部２４０は、給送部２１０および画像形成部２３０を制御する。
【０１８７】
給送部２１０は、カセット２１２と、給送ローラー２１４とを備える。カセット２１２は、複数枚のシートＳを収容する。給送ローラー２１４は、カセット２１２に収容されたシートＳを給送する。給送ローラー２１４は、カセット２１２に収容された複数枚のシートＳのうち最上面に位置するシートＳを１枚ずつ給送する。ここでは、給送部２１０は、複数のカセット２１２を備え、複数のカセット２１２ごとに給送ローラー２１４が設置されている。
【０１８８】
搬送部２２０は、画像形成部２３０にシートＳを搬送する。詳細には、搬送部２２０は、給送部２１０によって給送されたシートＳを１枚ずつ画像形成部２３０に供給する。
【０１８９】
搬送部２２０は、画像形成部２３０を経由して、給送部２１０から排出部までシートＳを搬送する。シートＳは、給送部２１０から、画像読取装置１００を介して画像形成部２３０を経由して排出される。
【０１９０】
トナーコンテナＣａ〜Ｃｄは画像形成装置２００に装着される。トナーコンテナＣａ〜Ｃｄの各々は画像形成装置２００に対して着脱自在である。トナーコンテナＣａ〜Ｃｄのそれぞれには異なる色のトナーが収容される。トナーコンテナＣａ〜Ｃｄのトナーは画像形成部２３０に供給される。画像形成部２３０は、トナーコンテナＣａ〜Ｃｄから供給されたトナーを用いて画像を形成する。
【０１９１】
例えば、トナーコンテナＣａは、イエロー色のトナーを収容し、画像形成部２３０にイエロー色のトナーを供給する。トナーコンテナＣｂは、マゼンタ色のトナーを収容し、画像形成部２３０にマゼンタ色のトナーを供給する。トナーコンテナＣｃは、シアン色のトナーを収容し、画像形成部２３０にシアン色のトナーを供給する。トナーコンテナＣｄは、ブラック色のトナーを収容し、画像形成部２３０にブラック色のトナーを供給する。
【０１９２】
画像形成部２３０は、トナーコンテナＣａ〜Ｃｄに収容されたトナーを用いて、画像データに基づく画像をシートＳに形成する。ここでは、画像形成部２３０は、露光部２３１、感光体ドラム２３２ａ、帯電部２３２ｂ、現像部２３２ｃ、１次転写ローラー２３２ｄ、クリーニング部２３２ｅ、中間転写ベルト２３３、２次転写ローラー２３４、および、定着部２３５を含む。
【０１９３】
感光体ドラム２３２ａ、帯電部２３２ｂ、現像部２３２ｃ、１次転写ローラー２３２ｄおよびクリーニング部２３２ｅは、トナーコンテナＣａ〜Ｃｄのそれぞれに対応して設けられる。複数の感光体ドラム２３２ａは、中間転写ベルト２３３の外表面に当接し、中間転写ベルト２３３の回転方向に沿って配置される。複数の１次転写ローラー２３２ｄは、複数の感光体ドラム２３２ａに対応して設けられる。複数の１次転写ローラー２３２ｄは、中間転写ベルト２３３を介して、複数の感光体ドラム２３２ａと対向する。
【０１９４】
帯電部２３２ｂは感光体ドラム２３２ａの周面を帯電する。露光部２３１は、画像データに基づく光を感光体ドラム２３２ａの各々に照射し、感光体ドラム２３２ａの周面には静電潜像が形成される。現像部２３２ｃは、静電潜像にトナーを付着させて静電潜像を現像し、感光体ドラム２３２ａの周面にトナー像を形成する。したがって、感光体ドラム２３２ａはトナー像を担持する。１次転写ローラー２３２ｄは、感光体ドラム２３２ａに形成されたトナー像を中間転写ベルト２３３の外表面に転写する。クリーニング部２３２ｅは、感光体ドラム２３２ａの周面に残留しているトナーを除去する。
【０１９５】
トナーコンテナＣａに対応する感光体ドラム２３２ａは、静電潜像に基づきイエロー色のトナー像を形成し、トナーコンテナＣｂに対応する感光体ドラム２３２ａは、静電潜像に基づきマゼンタ色のトナー像を形成する。トナーコンテナＣｃに対応する感光体ドラム２３２ａは、静電潜像に基づきシアン色のトナー像を形成し、トナーコンテナＣｄに対応する感光体ドラム２３２ａは、静電潜像に基づきブラック色のトナー像を形成する。
【０１９６】
中間転写ベルト２３３の外表面には、感光体ドラム２３２ａから複数色のトナー像が重畳して転写され、画像が形成される。このため、中間転写ベルト２３３は、画像を担持する。２次転写ローラー２３４は、中間転写ベルト２３３の外表面に形成された画像をシートＳに転写する。
【０１９７】
定着部２３５は、トナー像が転写されたシートＳを加熱および加圧することによって、トナー像をシートＳに定着させる。定着部２３５は、加熱ローラー２３５ａおよび加圧ローラー２３５ｂを備える。加熱ローラー２３５ａおよび加圧ローラー２３５ｂは互いに対向して配置され、定着ニップを形成する。中間転写ベルト２３３と２次転写ローラー２３４との間を通過したシートＳは、定着ニップを通過することにより所定の定着温度で加熱されながら、加圧される。この結果、トナー像がシートＳに定着する。
【０１９８】
画像読取装置１００は、画像形成部２３０によって画像の形成されたシートＳを画像形成装置２００の外部に排出する。
【０１９９】
装置制御部２４０は、画像形成装置２００の動作を制御する。詳細には、装置制御部２４０は、給送部２１０と、画像形成部２３０とを制御する。装置制御部２４０は、演算素子を含む。演算素子は、プロセッサーを含む。一例では、プロセッサーは、中央処理演算機（ＣＰＵ）を含む。プロセッサーは、特定用途集積回路（ＡＳＩＣ）を含んでもよい。装置制御部２４０は、制御部１４０Ａを含んでもよい。装置制御部２４０は、画像読取装置１００によって処理された画像データに基づいて画像を形成するように、給送部２１０、搬送部２２０および画像形成部２３０を制御する。
【０２００】
なお、図１７を参照して上述した説明では、画像読取装置１００は、電子写真方式の画像形成装置２００の一部として用いられたが、本実施形態はこれに限定されない。画像読取装置１００は、他の方式の画像形成装置２００の一部として用いられてもよい。例えば、画像読取装置１００は、インクジェット方式の画像形成装置２００の一部として用いられてもよい。
【０２０１】
また、図１、図４〜図６および図８に示した画像読取装置１００では、原稿台１１０の透光部１１２は、主透光部１１２ａおよび副透光部１１２ｂに分割されたが、本実施形態はこれに限定されない。透光部１１２は、複数の領域に分割されなくてもよい。
【０２０２】
また、図１、図２、図６および図８に示した画像読取装置１００では、カバー１２０は、原稿台１１０の後側で支持されたが、本実施形態はこれに限定されない。カバー１２０は、原稿台１１０の後側以外の場所で支持されてもよい。例えば、カバー１２０は、原稿台１１０の左側または右側で支持されてもよい。この場合、カバー１２０による影領域は、原稿台１１０の透光部１１２のうちの左側または右側に形成される。この場合でも、第１特定部１４０は、画像データのうちの透光部１１２における支持部１１４側の位置に対応するデータに基づいて原稿Ｒの端部を特定する。この場合、第１特定部１４０は原稿Ｒのうちの前側の端部を特定できる。このように、第１特定部１４０は、カバー１２０の開閉状態にかかわらず、原稿Ｒの端部を特定できる。
【０２０３】
以上、図面を参照しながら本発明の実施形態について説明した。ただし、本発明は、上記の実施形態に限定されるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【０２０４】
本発明は、画像読取装置に関するものであり、産業上の利用可能性を有する。
【符号の説明】
【０２０５】
１００  画像読取装置
１１０  原稿台
１２０  カバー
１３０  読取部
１４０  第１特定部
【図１】
2020080511.tif 000003
【図２】
2020080511.tif 000004
【図３】
2020080511.tif 000005
【図４】
2020080511.tif 000006
【図５】
2020080511.tif 000007
【図６】
2020080511.tif 000008
【図７】
2020080511.tif 000009
【図８】
2020080511.tif 000010
【図９】
2020080511.tif 000011
【図１０】
2020080511.tif 000012
【図１１】
2020080511.tif 000013
【図１２】
2020080511.tif 000014
【図１３】
2020080511.tif 000015
【図１４】
2020080511.tif 000016
【図１５】
2020080511.tif 000017
【図１６】
2020080511.tif 000018
【図１７】
2020080511.tif 000019